(57)【特許請求の範囲】
【請求項１】
複数の弁を開閉させることにより、少なくとも三つの吐止水モードを切換可能な水路切換装置であって、
上記各吐止水モードに応じて、開弁位置と閉弁位置の間で移動される複数の弁体と、
上記各吐止水モードを切換えるために、使用者によって直接操作されるピボット運動可能な単一の傾動操作部材と、
この傾動操作部材のピボット点の周囲に配置され、上記傾動操作部材の少なくとも三方向への傾動に基づいて、上記複数の弁体を夫々開閉させる複数の弁作動棹と、
を有することを特徴とする水路切換装置。
【請求項２】
さらに、上記各吐止水モードに切換えるために傾動された上記傾動操作部材を、その位置に保持する傾動保持手段を有する請求項１記載の水路切換装置。
【請求項３】
上記傾動操作部材は、使用者により操作力が加えられる操作部と、この操作部から上記ピボット点まで延びる傾動軸部と、を有する請求項１又は２に記載の水路切換装置。
【請求項４】
上記弁体は、上記傾動操作部材が上記弁作動棹の一端部を押圧し、上記弁作動棹が移動されることにより移動され、上記傾動操作部材と上記弁作動棹の接触面は、互いに線接触又は面接触される形状に構成されている請求項１乃至３の何れか１項に記載の水路切換装置。
【請求項５】
上記弁体は、上記傾動操作部材が上記弁作動棹の一端部を押圧し、上記弁作動棹が移動されることにより移動され、上記傾動操作部材と接触する上記弁作動棹の接触面は、曲面に構成されている請求項１乃至３の何れか１項に記載の水路切換装置。
【請求項６】
上記傾動操作部材に押圧される上記弁作動棹の一端部は、上記ピボット点を中心として半径方向外方に拡張されている請求項４又は５記載の水路切換装置。
【請求項７】
さらに、上記傾動操作部材のピボット運動を係止する傾動ロック部材を有する請求項１乃至６の何れか１項に記載の水路切換装置。
【請求項８】
さらに、上記傾動操作部材が傾動される方向を、所定の複数の方向に規制する傾動規制部材を有する請求項１乃至７の何れか１項に記載の水路切換装置。
【請求項９】
弁の開閉により吐止水モードを切換可能なハンドシャワーヘッドであって、
使用者により把持される把持部及び散水部を備えたシャワーヘッド本体と、
複数の散水孔が設けられた散水板と、
上記傾動操作部材が上記把持部に配置された上記請求項１乃至８の何れか１項に記載の水路切換装置と、
を有することを特徴とするハンドシャワーヘッド。
【発明の詳細な説明】
【技術分野】
【０００１】
本発明は、水路切換装置に関し、特に、複数の弁を開閉させることにより、少なくとも三つの吐止水モードを切換可能な水路切換装置、及びそれを備えたハンドシャワーヘッドに関する。
【背景技術】
【０００２】
近年、複数の吐水モードを切り換えて使用することができるハンドシャワーヘッドが開発されている。このようなハンドシャワーヘッドにおいては、シャワーヘッド本体内に内蔵された弁体を操作することにより、内部の水路を切り換えて、吐水形態を変更している。
【０００３】
特開２００２−１６５７１９号公報（特許文献１）には、シャワーヘッドが記載されている。このシャワーヘッドは、その先端部分に吐水形態切り換え用のシーソースイッチ状のボタンが設けられており、このボタンの操作により、シャワーヘッドの散水部に内蔵された流路切り換え機構が弁口を開閉し、吐水形態が切り換えられる。
【０００４】
特表２００３−５３０１７５号公報（特許文献２）には、給排水管継手用の多重路弁が記載されている。この多重路弁においては、各頂点に蓋体（１３）が取り付けられた正三角形状の傾動部材（１７）が内蔵されている。使用者が、この傾動部材（１７）を覆うように配置された弾性ダイアフラム（９）の各隆起部（１０）を押圧すると、各隆起部（１０）の背面側に配置された各押しボタン（７、８）が傾動部材（１７）の側部を押す。これにより、傾動部材（１７）が傾動され、傾動部材（１７）の押圧された側部の反対側に取り付けられた蓋体（１３）が引き上げられ、開弁される。
【先行技術文献】
【特許文献】
【０００５】
【特許文献１】特開２００２−１６５７１９号公報
【特許文献２】特表２００３−５３０１７５号公報
【発明の概要】
【発明が解決しようとする課題】
【０００６】
しかしながら、特開２００２−１６５７１９号公報に記載されたシャワーヘッドにおいては、シャワーヘッドの先端部に吐水形態切り換え用のボタンが設けられているため、吐水形態を切り換える際、シャワーヘッドを把持していない方の手でボタンを操作する必要があり、操作性が悪いという問題がある。即ち、シャワーヘッドの把持部近傍に吐水形態切り換え用の操作部が配置されていれば、使用者がシャワーを浴びながら、シャワーヘッドを持っている手指で吐水形態を切り換えることができ、操作性の優れたものとなる。
【０００７】
一方、特表２００３−５３０１７５号公報に記載された多重路弁は、シャワーヘッドの把持部近傍に設けられている。このため、シャワーヘッドを把持している方の手の指で各プッシュボタンを操作することが可能になっている。しかしながら、特表２００３−５３０１７５号公報記載の多重路弁では、所望の吐水形態に応じて、弾性ダイアフラム（９）に設けられた各隆起部（１０）を押圧する必要があるため、十分に良好な操作感が得られないという問題がある。特に、多重路弁がハンドシャワーヘッドに適用された場合には、通常、浴室において水に濡れた手指で操作するものであるため、僅かな操作性の相違が、使用者による操作感に大きな影響を及ぼす結果となる。
【０００８】
従って、本発明は、非常に簡単な操作によって複数の弁を開閉することができる水路切換装置、及びそれを備えたハンドシャワーヘッドを提供することを目的としている。
【課題を解決するための手段】
【０００９】
上述した課題を解決するために、本発明は、複数の弁を開閉させることにより、少なくとも三つの吐止水モードを切換可能な水路切換装置であって、各吐止水モードに応じて、開弁位置と閉弁位置の間で移動される複数の弁体と、各吐止水モードを切換えるために、使用者によって直接操作されるピボット運動可能な単一の傾動操作部材と、この傾動操作部材のピボット点の周囲に配置され、傾動操作部材の少なくとも三方向への傾動に基づいて、複数の弁体を夫々開閉させる複数の弁作動棹と、を有することを特徴としている。
【００１０】
このように構成された本発明においては、使用者の操作により、傾動操作部材がピボット運動され、傾動操作部材の各方向への傾動に基づいて、複数の弁作動棹が複数の弁体を夫々開閉させる。各弁体が開弁位置と閉弁位置の間で移動されることにより、少なくとも三つの吐止水モードが切り換えられる。
【００１１】
このように構成された本発明によれば、単一の傾動操作部材の各方向への傾動操作により、少なくとも三つの吐止水モードが、相互に、ダイレクトに切り換えられるので、水路切換装置の操作性を向上させることができる。また、単一の傾動操作部材の傾動により吐止水モードが切り換えられるので、使用者は、傾動操作部材を大まかに各方向に傾動させるだけで、確実に所望の吐止水モードに切り換えることができる。これは、各吐止水モードに対して別々の操作釦等を設けた場合と比較すると、使用者は、所望の吐止水モードの操作釦を狙って、それを押圧する必要がなく、操作性の優れたものとなる。このため、本発明によれば、傾動操作部材が小型化された場合でも、著しく操作性が低下することがない。また、外部に露出する傾動操作部材が一つであるため、外観の優れた水路切換装置を構成することができる。
【００１２】
本発明において、好ましくは、さらに、各吐止水モードに切換えるために傾動された傾動操作部材を、その位置に保持する傾動保持手段を有する。
このように構成された本発明によれば、傾動された傾動操作部材がその位置に保持されるので、使用者は、傾動操作部材の状態から切り換えられた吐止水モードを視覚的に認識することができ、操作性を向上させることができる。
【００１３】
本発明において、好ましくは、傾動操作部材は、使用者により操作力が加えられる操作部と、この操作部からピボット点まで延びる傾動軸部と、を有する。
このように構成された本発明においては、操作部とピボット点の間が傾動軸部により離間されており、使用者は、例えば手の指などを傾動操作部材に当てながら、操作部に概ね水平方向の力を加えるだけで傾動操作部材を各方向に傾動させることができる。これにより、使用者は操作部に指先を当てたまま傾動操作部材を各方向に傾動させることができ、指一本で容易に吐止水モードを切換えることができる。
【００１４】
本発明において、好ましくは、弁体は、傾動操作部材が弁作動棹の一端部を押圧し、弁作動棹が移動されることにより移動され、傾動操作部材と弁作動棹の接触面は、互いに線接触又は面接触される形状に構成されている。
このように構成された本発明によれば、傾動操作部材が、弁作動棹の一端部を線接触又は面接触により押圧するので、繰り返し操作が行われた場合でも傾動操作部材が摩耗しにくく、水路切換装置の耐久性を向上させることができる。
【００１５】
本発明において、好ましくは、弁体は、傾動操作部材が弁作動棹の一端部を押圧し、弁作動棹が移動されることにより移動され、傾動操作部材と接触する弁作動棹の接触面は、曲面に構成されている。
このように構成された本発明によれば、傾動操作部材と接触する弁作動棹の接触面が曲面として構成されているため、傾動操作部材と弁作動棹の接触箇所が傾動角度によって変化し、繰り返し操作が行われた場合でも傾動操作部材が摩耗しにくく、水路切換装置の耐久性を向上させることができる。
【００１６】
本発明において、好ましくは、傾動操作部材に押圧される弁作動棹の一端部は、ピボット点を中心として半径方向外方に拡張されている。
【００１７】
このように構成された本発明によれば、弁作動棹の一端部がピボット点を中心として半径方向外方に拡張されるので、傾動操作部材と弁作動棹の接触する箇所をピボット点の中心から半径方向外方に設定することが可能となる。これにより、弁作動棹をピボット点に近接して配置、つまり複数の弁体を近接して配置しながら、傾動操作部材が弁作動棹に接触するために傾斜しなければならない傾斜角度を小さく設定することが可能となり、水路切換装置を小型化することができる。また、傾動操作部材が傾斜される角度に対して、弁作動棹をより大きく移動させることができるようになる。
【００１８】
本発明において、好ましくは、さらに、傾動操作部材のピボット運動を係止する傾動ロック部材を有する。
このように構成された本発明によれば、傾動操作部材のピボット運動を係止する傾動ロック部材が備えられているので、清掃時や、子供の悪戯などによる意図しない吐水を防止することができる。
【００１９】
本発明において、好ましくは、さらに、傾動操作部材が傾動される方向を、所定の複数の方向に規制する傾動規制部材を有する。
このように構成された本発明によれば、傾動規制部材により傾動操作部材の傾動方向が規制されるので、複数の吐止水モードが同時に選択されるのを防止することができ、少なくとも三つの吐止水モードのうちの一つのモードを確実に選択することができる。
【００２０】
また、本発明は、弁の開閉により吐止水モードを切換可能なハンドシャワーヘッドであって、使用者により把持される把持部及び散水部を備えたシャワーヘッド本体と、複数の散水孔が設けられた散水板と、傾動操作部材が把持部に配置された本発明の水路切換装置と、を有することを特徴としている。
【００２１】
このように構成された本発明によれば、シャワーヘッド本体の把持部に配置するために、傾動操作部材を小型化した場合においても、少なくとも三つの吐止水モードを切り換える操作性が著しく低下することがない。
【発明の効果】
【００２２】
本発明の水路切換装置、及びそれを備えたハンドシャワーヘッドによれば、非常に簡単な操作によって複数の弁を開閉することができる。
【図面の簡単な説明】
【００２３】
【図１】本発明の第１実施形態によるハンドシャワーヘッドの外観を示す斜視図である。
【図２】本発明の第１実施形態によるハンドシャワーヘッドの断面図である。
【図３】ハンドシャワーヘッドに内蔵されている水路切換装置の部分を拡大して示す断面図である。
【図４】ハンドシャワーヘッドに内蔵されている水路切換装置の分解斜視図である。
【図５】ハンドシャワーヘッド内において切り換えられる水路を示す断面図である。
【図６】水路切換装置に内蔵されている弁体の斜視図である。
【図７】水路切換装置に備えられている円環状ロック部材の斜視図である。
【図８】水路切換装置に備えられているカム構成部材の斜視図である。
【図９】水路切換装置に備えられている操作部カバー部材の斜視図である。
【図１０】水路切換装置に備えられている操作部カバー部材の斜視断面図である。
【図１１】ハンドシャワーヘッドに内蔵されている水路切換装置の作用を説明するための図である。
【図１２】ハンドシャワーヘッドに内蔵されている水路切換装置の作用を説明するための図である。
【図１３】本発明の第２実施形態による水路切換装置を内蔵した水栓装置全体を示す斜視図である。
【図１４】本発明の第２実施形態による水路切換装置を内蔵した水栓装置の平面断面図である。
【図１５】本発明の第２実施形態による水路切換装置を内蔵した水栓装置の正面断面図である。
【図１６】本発明の第２実施形態による水路切換装置を内蔵した水栓装置の側面断面図である。
【図１７】本発明の第２実施形態による水路切換装置部の拡大断面図である。
【図１８】本発明の第２実施形態による水路切換装置部の分解斜視図である。
【図１９】本発明の第２実施形態による水路切換装置に使用されているピボット受け部材の斜視図である。
【図２０】本発明の第２実施形態による水路切換装置に使用されているピボット部材の斜視図である。
【図２１】本発明の第２実施形態による水路切換装置を内蔵した水栓装置本体のカバーを取り外した状態を示す、水栓装置の斜視図である。
【発明を実施するための形態】
【００２４】
次に、添付図面を参照して、本発明の第１実施形態によるハンドシャワーヘッドを説明する。
図１は、本発明の第１実施形態によるハンドシャワーヘッドの外観を示す斜視図である。
【００２５】
図１に示すように、本実施形態のハンドシャワーヘッド１は、シャワーヘッド本体２と、このシャワーヘッド本体２の先端部に取り付けられた散水板４と、止水状態と吐水状態を切り換えると共に、吐水状態のうちの３つの吐水モードを切り換える押し釦６と、を有する。即ち、押し釦６によれば、止水状態と３つの吐水モードを切り換えることが可能であるため、合計４つの吐止水モードが押し釦６により切り換えられることになる。
シャワーヘッド本体２は、使用者が把持する把持部２ａと、この把持部２ａの先端側に設けられ、把持部２ａよりも太くなった散水部２ｂと、を有する。また、散水部２ｂには、散水板４が取り付けられる円形の開口部２ｃが形成されている。また、シャワーヘッド本体２の基端側には、シャワーホース（図示せず）が接続される。
【００２６】
散水板４は、概ね円形の板であり、その中央部には散水ノズルが回転しながら吐水を行うジャイロビート吐水用の散水孔４ａが設けられ、散水孔４ａの周囲にはスプレー吐水用の多数の散水孔４ｂが設けられ、シャワーヘッド本体２の先端側には、滝状吐水用の円弧状の散水孔４ｃが設けられている。
押し釦６は、シャワーヘッド本体２の把持部２ａの開口部２ｃ側に配置された円板状の釦であり、使用者により直接操作される。この押し釦６を押圧して各方向に傾動させることにより、シャワーヘッド本体２に内蔵された水路切換装置が作動され、ジャイロビート吐水、スプレー吐水、及び滝状吐水の各吐水モード、及び止水状態が切り換えられるようになっている。
【００２７】
次に、図２乃至図８を参照して、本発明の第１実施形態によるハンドシャワーヘッド１の内部構造を説明する。
図２は、本発明の第１実施形態によるハンドシャワーヘッドの断面図である。
図２に示すように、シャワーヘッド本体２には、通水路形成部材８と、この通水路形成部材８の先端部に接続された水路切換装置１０と、この水路切換装置１０の先端部に取り付けられた第１散水室形成部材１２と、が内蔵されている。さらに、シャワーヘッド本体２には、第１散水室形成部材１２を覆うように取り付けられた第２散水室形成部材１４と、散水板４の背面側に配置された第３散水室形成部材１６と、この第３散水室形成部材１６の背面側に配置された散水ノズル形成部材１８と、が内蔵されている。また、シャワーヘッド本体２には、ジャイロビート吐水を行うための回転ノズル２０と、この回転ノズル２０を支持する回転ノズル支持部材２２と、が内蔵されている。
【００２８】
通水路形成部材８は、細長い筒状の部材であり、その基端部には、シャワーホース（図示せず）に接続される接続部８ａが形成されている。また、第１通水路形成部材８の先端部８ｂには、水路切換装置１０が接続されている。通水路形成部材８と水路切換装置１０の間にはＯリングが配置され、これらの間の水密性が確保されている。水路切換装置１０の詳細については後述する。
【００２９】
第１散水室形成部材１２は、水路切換装置１０の先端側（下流側）に接続される箱状の部材であり、散水板４の背面側に内蔵されている。第１散水室形成部材１２と水路切換装置１０の間にはＯリングが配置され、これらの部材の間の水密性が確保されている。第１散水室形成部材１２の内部には第１水路１２ａ、第２水路１２ｂ、及び第３水路１２ｃ（図５にも図示）が形成されている。水路切換装置１０から流出した湯水は、これらの第１水路１２ａ、第２水路１２ｂ、及び第３水路１２ｃを通って、ジャイロビート吐水用の散水孔４ａ、スプレー吐水用の散水孔４ｂ、滝状吐水用の散水孔４ｃに夫々導かれるようになっている。また、第１散水室形成部材１２の散水板４側は開放されており、この開放部を覆うように第２散水室形成部材１４が取り付けられている。
【００３０】
第２散水室形成部材１４は、第１散水室形成部材１２の開放部を覆うように配置される概ね円板状の部材である。第２散水室形成部材１４の中央には、第１水路１２ａと連通するように凹部１４ａが設けられ、この凹部１４ａの中にジャイロビート吐水用の回転ノズル２０が回転可能に配置される。また、第２散水室形成部材１４には、第２水路１２ｂと連通するように貫通穴１４ｂが設けられており、この貫通穴１４ｂを通った湯水がスプレー吐水用の散水孔４ｂから吐出される。さらに、第２散水室形成部材１４には、第３水路１２ｃと連通するように貫通穴１４ｃが設けられており、この貫通穴１４ｃを通った湯水が滝状吐水用の散水孔４ｃから吐出される。
【００３１】
第３散水室形成部材１６は、散水板４の背面側に重なるように配置される概ね円板状の部材である。この第３散水室形成部材１６の背面側と、第２散水室形成部材１４の正面側との間の空間が、スプレー吐水用の散水室を形成する。
【００３２】
散水ノズル形成部材１８は、ゴム製の概ね円板状の部材であり、第２散水室形成部材１４と第３散水室形成部材１６の間に配置される。散水ノズル形成部材１８には多数のスプレー吐水用の散水ノズル１８ａが設けられている。これらの散水ノズル１８ａは、散水板４に設けられた多数の散水孔４ｂ、及びこれらの散水孔４ｂと夫々整合するように第３散水室形成部材１６に設けられた多数の孔を通ってハンドシャワーヘッド１の外部に突出している。また、散水ノズル形成部材１８には、ハンドシャワーヘッド１の先端側に位置するように、滝状吐水用の散水ノズル１８ｂが設けられている。この散水ノズル１８ｂは、散水板４に設けられた円弧状の散水孔４ｃ、及びこの散水孔４ｃと整合するように第３散水室形成部材１６に設けられた円弧状の孔を通ってハンドシャワーヘッド１の外部に突出している。なお、散水ノズル形成部材１８はゴム製であるため、第２散水室形成部材１４の縁部１４ｄに押し付けられることにより、それらの間の水密性が確保される。
【００３３】
回転ノズル２０は、概ね円柱状の部材であり、その軸線方向に３本のジャイロビート吐水用の散水ノズル孔２０ａが設けられている。また、回転ノズル支持部材２２は、回転ノズル２０を回転可能に支持する概ね円筒状の部材である。回転ノズル支持部材２２は、その内部に回転ノズル２０を回転可能に受け入れ、支持すると共に、第２散水室形成部材１４に設けられた凹部１４ａに嵌め込まれている。第１散水室形成部材１２の第１水路１２ａに湯水が流入すると、その水勢により、回転ノズル２０が回転ノズル支持部材２２の中ですりこぎ運動（歳差運動）され、これにより螺旋を描くように吐水が行われる。
【００３４】
次に、図３乃至図８を新たに参照して、本発明の第１実施形態によるハンドシャワーヘッド１に内蔵されている水路切換装置１０を説明する。
図３は、ハンドシャワーヘッドに内蔵されている水路切換装置の部分を拡大して示す断面図である。図４は、ハンドシャワーヘッドに内蔵されている水路切換装置の分解斜視図である。図５は、ハンドシャワーヘッド内において切り換えられる水路を示す断面図である。図６は、水路切換装置に内蔵されている弁体の斜視図である。図７は、水路切換装置に備えられている円環状ロック部材の斜視図である。図８は、水路切換装置に備えられているカム構成部材の斜視図である。図９は水路切換装置に備えられている操作部カバー部材の斜視図であり、図１０は操作部カバー部材の斜視断面図である。
【００３５】
図３及び図４に示すように、水路切換装置１０は、水路切換装置本体２４と、この水路切換装置本体２４の内部に摺動可能に配置された第１弁体２６ａ、第２弁体２６ｂ、及び第３弁体２６ｃと、これらの弁体により開閉される３つの弁座が形成された弁座形成部材２８と、を有する。
【００３６】
さらに、水路切換装置１０は、４つの円筒支持部材３２と、回転ロック部材である円環状ロック部材３４と、第１カム構成部材３６ａ、第２カム構成部材３６ｂ、第３カム構成部材３６ｃと、リセットカム構成部材３８と、３本の操作棹４０ａ、４０ｂ、４０ｃと、操作部カバー部材４２と、ピボット部材４４と、弾性カバー部材４６と、を有する。
【００３７】
図３乃至図５に示すように、水路切換装置本体２４は、通水路形成部材８を通過した湯水が流入するように構成された概ね筒型の部材である。水路切換装置本体２４の内部には、第１弁体２６ａ、第２弁体２６ｂ、及び第３弁体２６ｃの３つの弁体が、ハンドシャワーヘッド１の幅方向に平行に並べて配置されている。また、これら３つの弁体は、ハンドシャワーヘッド１の長手方向に摺動可能に支持され、開弁位置と閉弁位置の間で移動可能になっている。通水路形成部材８から流入した湯水は、第１、第２、第３弁体の何れかが開弁されると、開放された弁座を通って水路切換装置１０から流出される。
【００３８】
図６に示すように、第１弁体２６ａは、着座部２７ａと、この着座部２７ａの背面側に形成された支持フレーム部２７ｂと、この支持フレーム部２７ｂの両側面に設けられた摺動突起２７ｃと、支持フレーム部２７ｂの背面側に形成されたバネ取付部２７ｄ、を有する。
【００３９】
着座部２７ａは、第１弁体２６ａの先端に設けられた円板状の部分であり、この着座部２７ａの先端部が弁座形成部材２８に着座することにより、弁座形成部材２８に設けられた弁孔が閉鎖される。
【００４０】
支持フレーム部２７ｂは、着座部２７ａの背面側に形成された直方体状のフレームである。着座部２７ａは、支持フレーム部２７ｂにより、弁座形成部材２８の適正な位置に着座するように支持される。
【００４１】
摺動突起２７ｃは、支持フレーム部２７ｂの両側面に夫々設けられた細長い突起である。摺動突起２７ｃは、水路切換装置本体２４の内部に設けられた細長いガイド部２４ａ（図５）に沿って摺動される。これにより、第１弁体２６ａは、水路切換装置本体２４内で直線移動される。
【００４２】
バネ取付部２７ｄは、支持フレーム部２７ｂの背面側に形成された円形断面の突起であり、このバネ取付部２７ｄがコイルバネ５４（図５）の内側に嵌め込まれることにより、第１弁体２６ａにコイルバネ５４が取り付けられる。第１弁体２６ａはコイルバネ５４により、閉弁位置の方に付勢される。
【００４３】
さらに、支持フレーム部２７ｂの内側には、移動方向変換手段である傾斜平面２７ｅが設けられている。傾斜平面２７ｅは、支持フレーム部２７ｂの内側に一体に形成された傾斜した平面部分である。後述するように、この傾斜平面２７ｅが操作棹４０ａの先端で押圧されることにより、第１弁体２６ａは開弁方向に駆動される。
【００４４】
また、第２弁体２６ｂ及び第３弁体２６ｃも、図４、図５に示すように、第１弁体２６ａと概ね同様の構成を有しているが、第２、第３弁体では、弁座を開閉する着座部と、これを支持する支持フレーム部がオフセットするように構成されており、全体としてＬ字型に形成されている。また、第２、第３弁体においては、コイルバネ５４が着座部の背面に取り付けられ、これらのコイルバネ５４により、第２、第３弁体は、閉弁位置の方に夫々付勢される。さらに、第２弁体２６ｂ及び第３弁体２６ｃの支持フレーム部にも、第１弁体２６ａと同様に、傾斜平面が設けられており、これらの傾斜平面が、操作棹４０ｂ、４０ｃによって夫々押圧されることにより、第２、第３弁体が開弁方向に駆動される。
【００４５】
弁座形成部材２８は、図４に示すように、概ね長円形の板状の部材であり、第１弁体２６ａ、第２弁体２６ｂ、第３弁体２６ｃが夫々着座する３つの弁孔２８ａ、２８ｂ、２８ｃが、一直線上に等間隔に形成されている。
【００４６】
円筒支持部材３２は、図３、図４に示すように、水路切換装置本体２４の図３における上側（ハンドシャワーヘッド１の散水板の側）に配置される円筒状の部材である。また、４つの円筒支持部材３２は、水路切換装置本体２４の上側の円周上に等間隔に配置されている。各円筒支持部材３２を夫々取り囲むように、カム部付勢手段である３つのコイルバネ４８ａ、及びリセット用カム部付勢手段であるコイルバネ４８ｂが夫々配置される。さらに、各コイルバネ４８ａの上には、各円筒支持部材３２を覆うように、第１、第２、第３カム構成部材３６ａ、３６ｂ、３６ｃが夫々配置されている。このため、各カム構成部材は、コイルバネ４８ａにより、円筒支持部材３２に沿って初期位置（図３における上方）に向けて付勢される。同様に、コイルバネ４８ｂの上には、円筒支持部材３２を覆うように、リセットカム構成部材３８が配置されている。このため、リセットカム構成部材３８は、コイルバネ４８ｂにより、円筒支持部材３２に沿って初期位置（図３における上方）に向けて付勢される。
【００４７】
円環状ロック部材３４は、図４及び図７に示すように、円環状の部材であり、４つの円筒支持部材３２の周囲を取り囲むように配置されている。また、円環状ロック部材３４は、円筒支持部材３２の周囲で、円環状ロック部材３４の中心軸線を中心として、ロック位置とロック解除位置との間で回動可能に配置されている。さらに、円環状ロック部材３４は、ロック部材付勢部材である２つの捩りバネ５０（図４）により、ロック位置に向けて付勢されている。各捩りバネ５０は、水路切換装置本体２４に形成された軸部２４ｃ（図４）に夫々嵌め込まれている。各捩りバネ５０は、一方の端部が円環状ロック部材３４と係合し、他方の端部が操作部カバー部材４２（図４）と係合することにより、円環状ロック部材３４がその中心軸線を中心にロック位置に向けて回動されるように、円環状ロック部材３４を付勢している。なお、２つの捩りバネ５０は、円環状ロック部材３４の中心軸線を中心とする円周上に、等間隔に配置されている。
【００４８】
さらに、円環状ロック部材３４は、円環状の円環部３４ａと、この円環部３４ａから延びる３つの突出部３４ｂと、これらの突出部３４ｂの先端に夫々形成された係合爪３４ｃと、円環部３４ａから延びるリセット用突出部３４ｄと、を有する。
【００４９】
図７に示すように、３つの突出部３４ｂは、円環部３４ａの中心軸線と略平行な方向に、円環部３４ａから延びる突起である。これらの突出部３４ｂの先端には、円環部３４ａの円周方向に延びる係合爪３４ｃが夫々形成されている。これにより、各突出部３４ｂ及び係合爪３４ｃは、夫々逆Ｌ字形の係合部を構成する。また、各突出部３４ｂは、円環部３４ａ上に、中心角９０度ずつ間隔をあけて設けられている。
【００５０】
さらに、各係合爪３４ｃの上面側（円環部３４ａの反対側）には、円環部３４ａに対して傾斜した斜面であるカム面３４ｅが夫々設けられている。これら押圧部であるカム面３４ｅが、第１、第２、第３カム構成部材３６ａ、３６ｂ、３６ｃにより上側（円環部３４ａの反対側）から押圧されることにより、円環状ロック部材３４は、捩りバネ５０の付勢力に抗してロック位置からロック解除位置に駆動される。一方、初期位置から押し込まれた何れかのカム構成部材は、円環状ロック部材３４が捩りバネ５０の付勢力によりロック位置に復帰されると、係合爪３４ｃの下側（円環部３４ａの側）と係合され、押し込み位置に保持される。なお、本実施形態においては、各係合爪３４ｃの上面側に押圧部であるカム面３４ｅが形成されているので、押圧部と係合部は一体に構成されている。
【００５１】
リセット用突出部３４ｄは、円環部３４ａの中心軸線と略平行な方向に、円環部３４ａから延びる突起である。リセット用突出部３４ｄは、突出部３４ｂよりも幅広に形成されており、その上面側（円環部３４ａの反対側）には、円環部３４ａに対して傾斜したカム面３４ｆが設けられている。また、リセット用突出部３４ｄは、円環部３４ａ上に、２つの突出部３４ｂに対して中心角９０度ずつ間隔をあけて設けられている。従って、３つの突出部３４ｂ及びリセット用突出部３４ｄは、互いに中心角９０度ずつ間隔をあけて設けられている。
【００５２】
リセット用突出部３４ｄのカム面３４ｆが、リセットカム構成部材３８により上側（円環部３４ａの反対側）から押圧されることにより、円環状ロック部材３４は、捩りバネ５０の付勢力に抗してロック位置からロック解除位置に駆動される。しかしながら、リセット用突出部３４ｄには係合爪３４ｃが設けられていないため、リセットカム構成部材３８に作用する押圧力が除去されると、リセットカム構成部材３８は保持されることなく、初期位置に復帰される。
【００５３】
第１カム構成部材３６ａは、図３、図４、図８に示すように、下側（水路切換装置本体２４の側）が開放された円形のキャップ状の部材であり、その開放部に円筒支持部材３２を受け入れるように構成されている（図３）。これにより、第１カム構成部材３６ａは、円筒支持部材３２に沿って移動可能に支持される。また、第１カム構成部材３６ａには、瓢箪形の取付穴３７ａが構成されており、操作棹４０ａは、この取付穴３７ａに嵌め込まれることにより第１カム構成部材３６ａに取り付けられる（図３）。
【００５４】
また、第１カム構成部材３６ａの側面には、周囲を取り囲むように鍔部３７ｂが形成されており、この鍔部３７ｂとコイルバネ４８ａが係合することにより、第１カム構成部材３６ａは上方（水路切換装置本体２４とは反対の方向）に付勢される。
【００５５】
さらに、第１カム構成部材３６ａ側面の一箇所には、半径方向外方に突出するように、操作カム部３７ｃが設けられている。この操作カム部３７ｃの下側面（水路切換装置本体２４側の面）は斜めに切り欠かれ、傾斜したカム面３７ｄが形成されている。このカム面３７ｄは、円環状ロック部材３４のカム面３４ｅと合致する角度に形成されている。第１カム構成部材３６ａが初期位置から押し込まれると、第１カム構成部材３６ａのカム面３７ｄと、円環状ロック部材３４のカム面３４ｅが摺動し、円環状ロック部材３４は、ロック位置からロック解除位置に向けて回動される。
【００５６】
また、図４に示すように、第２、第３カム構成部材３６ｂ、３６ｃは、第１カム構成部材３６ａと全く同じ形状に構成されており、第２カム構成部材３６ｂには操作棹４０ｂが取り付けられ、第３カム構成部材３６ｃには操作棹４０ｃが取り付けられている。さらに、第２、第３カム構成部材３６ｂ、３６ｃも、第１カム構成部材３６ａと同様に、コイルバネ４８ａによって上方（水路切換装置本体２４とは反対の方向）に付勢される。また、第２、第３カム構成部材３６ｂ、３６ｃに設けられたカム面も、円環状ロック部材３４の対応するカム面３４ｅと摺動し、円環状ロック部材３４をロック位置からロック解除位置に向けて回動させる。
【００５７】
さらに、図４に示すように、リセットカム構成部材３８も、第１カム構成部材３６ａと全く同じ形状に構成されている。なお、リセットカム構成部材３８に設けられた操作カム部（図８の３７ｃに相当）は、リセット用カム部として機能する。また、リセットカム構成部材３８には、操作棹４０ｄが取り付けられ、この操作棹４０ｄは、他の操作棹よりも短く構成されている。また、リセットカム構成部材３８も、第１カム構成部材３６ａと同様に、コイルバネ４８ｂによって上方（水路切換装置本体２４とは反対の方向）に付勢される。さらに、リセットカム構成部材３８に設けられたカム面は、円環状ロック部材３４のリセット用突出部３４ｄに設けられたカム面３４ｆと合致する角度に形成されている。リセットカム構成部材３８が初期位置から押し込まれると、リセットカム構成部材３８のカム面と、リセット用突出部３４ｄのカム面３４ｆが摺動し、円環状ロック部材３４は、ロック位置からロック解除位置に向けて回動される。
【００５８】
第１、第２、第３カム構成部材３６ａ、３６ｂ、３６ｃ、及びリセットカム構成部材３８は、４つの円筒支持部材３２を夫々受け入れるように配置されている。また、各円筒支持部材３２は、円環状ロック部材３４と同心円を為す円周上に配置されている。従って、第１、第２、第３カム構成部材３６ａ、３６ｂ、３６ｃ、及びリセットカム構成部材３８は、円環状ロック部材３４の円周に沿って配置されている。
【００５９】
弁作動棹である操作棹４０ａ、４０ｂ、４０ｃは、図４に示すように、同一形状に構成された円形断面のシャフトであり、その先端部は半球面状に形成されている。また、操作棹４０ａ、４０ｂ、４０ｃは、第１、第２、第３カム構成部材３６ａ、３６ｂ、３６ｃに夫々取り付けられ、ピボット部材４４がピボット運動するピボット点の周囲に配置される。また、各操作棹４０ａ、４０ｂ、４０ｃの基端部（水路切換装置本体２４の反対側）は拡径されており、その端面は中央が隆起した凸面状に構成されている。また、リセットカム構成部材３８に取り付けられた操作棹４０ｄの基端部も同様の形態に形成されている。
【００６０】
図３に示すように、第１カム構成部材３６ａに取り付けられた操作棹４０ａは、円筒支持部材３２の中を通って、下側（水路切換装置本体２４の方向）に突出する。突出した操作棹４０ａは、水路切換装置本体２４に設けられた円形穴２４ｂ（図４）を通って水路切換装置本体２４の内部に挿入され、挿入された操作棹４０ａの先端は、第１弁体２６ａに当接する。また、各円形穴２４ｂにはドーナツ状のパッキン５２が配置され、操作棹４０ａと水路切換装置本体２４の間の水密性が確保されている。
【００６１】
この構成により、第１カム構成部材３６ａが円筒支持部材３２に沿って下方（水路切換装置本体２４の方向）に移動されると、操作棹４０ａも共に下方に移動され、操作棹４０ａの先端が第１弁体２６ａの傾斜平面２７ｅを押圧する。これにより、第１弁体２６ａは開弁方向に駆動される。
【００６２】
同様の構成により、第２カム構成部材３６ｂに取り付けられた操作棹４０ｂは、第２カム構成部材３６ｂが押し込まれると第２弁体２６ｂに設けられた傾斜平面を押圧して、第２弁体２６ｂを開弁方向に駆動する。第３カム構成部材３６ｃに取り付けられた操作棹４０ｃは、第３カム構成部材３６ｃが押し込まれると第３弁体２６ｃに設けられた傾斜平面を押圧して、第３弁体２６ｃを開弁方向に駆動する。
【００６３】
次に、図９及び図１０を新たに参照して、操作部カバー部材４２の構成を説明する。操作部カバー部材４２は、図４に示すように、下側（水路切換装置本体２４の側）が開放された円形のカップ状の部材である。操作部カバー部材４２は、水路切換装置本体２４に取り付けられ、これらの内側に、円環状ロック部材３４、第１、第２、第３カム構成部材３６ａ、３６ｂ、３６ｃ、コイルバネ４８ａ、コイルバネ４８ｂ、及び捩りバネ５０が収容される。
【００６４】
図９に示すように、操作部カバー部材４２の上端面（水路切換装置本体２４の反対側の面）には、４つの開口部４２ａが形成されている。第１、第２、第３カム構成部材３６ａ、３６ｂ、３６ｃ及びリセットカム構成部材３８の上部は、これら４つの開口部４２ａを通して操作部カバー部材４２の上端面から夫々突出する。また、各カム構成部材及びリセットカム構成部材の各鍔部３７ｂが、各開口部４２ａの縁と係合することにより、各カム構成部材及びリセットカム構成部材を、操作部カバー部材４２の内側に保持している。
【００６５】
ここで、円環状ロック部材３４には、その外周部に２つの鍔部３４ｇ（図７）が設けられている。一方、図１０に示すように、操作部カバー部材４２の内側下部には、段部４２ｂが形成されており、各鍔部３４ｇが段部４２ｂの下に受け入れられることにより、操作部カバー部材４２内における円環状ロック部材３４の回動が案内される。さらに、操作部カバー部材４２内側の天井面４２ｃは、円環状ロック部材３４の突出部３４ｂ及びリセット用突出部３４ｄの上端面に対して摺動するように形成されており、この天井面４２ｃによっても円環状ロック部材３４の回動が案内される。従って、操作部カバー部材４２は、円環状ロック部材３４の回動を案内する回転ガイド部材として機能する。
【００６６】
また、第１、第２、第３カム構成部材及びリセットカム構成部材３８の各操作カム部３７ｃは、初期位置と押込位置との間で円環状ロック部材３４の中心軸線と平行な方向に移動される際、操作部カバー部材４２によって案内される。即ち、各操作カム部３７ｃの先端面３７ｅ（図８）は、操作部カバー部材４２の各内壁面４２ｄ（図９）に対して摺動し、案内される。また、各操作カム部３７ｃのカム面３７ｄの反対側の垂直面３７ｆは、操作部カバー部材４２の半径方向に向けられた各垂直面４２ｅ（図９）に対して摺動し、案内される。従って、操作部カバー部材４２は、円環状ロック部材３４の中心軸線に平行な方向の、各操作カム部３７ｃの移動を案内するカムガイド部材として機能する。
【００６７】
ピボット部材４４は、図４に示すように、概ね円板状の部材である。ピボット部材４４の中心には、下方（水路切換装置本体２４の方向）に向けて突出するピボット突起４４ａ（図３）が設けられており、このピボット突起４４ａの先端は球面状に形成されている。ピボット突起４４ａの先端は、ピボット受部材４３のピボット凹部４３ａに受け入れられている。ピボット突起４４ａの先端とピボット凹部４３ａの接触点はピボット点として機能し、このピボット点は、円環状ロック部材３４の中心軸線上に位置する。また、ピボット受部材４３は操作部カバー部材４２の上端面の中心に設けられた凹部に受け入れられている。ピボット部材４４が、ピボット点を中心に何れかの方向に傾動されると、ピボット部材４４の下側の面（水路切換装置本体２４側の面）が、操作棹４０ａ、４０ｂ、４０ｃの何れかの上端を押圧し、操作棹と共にカム構成部材を押込位置に移動させる。また、ピボット部材４４がリセットカム構成部材３８の方に傾動されると、ピボット部材４４がリセットカム構成部材３８を押圧し、リセットカム構成部材３８は押込位置に移動される。
【００６８】
ここで、各操作棹４０ａ、４０ｂ、４０ｃ、４０ｄの拡径された基端部は凸面形状となっており、ピボット部材４４が傾動する際に描く軌跡と略同一の形状となっている。このように構成することにより、基端部を平面に構成した場合と比較して、接触による磨耗を低減することが可能となる。また、基端部と、この基端部に接触するピボット部材４４の接触面は互いに合致する形状に形成されており、接触面積が広くなるように形成されている。また、即ち、各操作棹とピボット部材４４は、線接触乃至面接触するように構成されている。なお、本実施形態においては、各操作棹４０ａ、４０ｂ、４０ｃ、４０ｄの基端部は拡径されている（基端部は全方向に拡張されている）が、ピボット点を中心とする円の半径方向外方だけに基端部が拡張された形状に各操作棹を構成することもできる。これにより、各操作棹の基端部とピボット部材４４の接触箇所を半径方向外方に位置させることを可能にしながら、各操作棹を円環状ロック部材３４の中心に近接して配置することができる。このように構成することで、各操作棹を移動させる為に必要なピボット部材４４の傾動角度を小さく設定することが可能となる。
【００６９】
一方、操作部カバー部材４２上面の４つの開口部４２ａの間には、４つの隆起部４２ｆが夫々設けられている（図９）。これら各隆起部４２ｆの稜線は、操作部カバー部材４２の半径方向に向けられており、各隆起部４２ｆは、隣り合う開口部４２ａの中間の位置で最も高くなっている。従って、ピボット部材４４が、カム構成部材とカム構成部材の中間の方向、又は、カム構成部材とリセットカム構成部材の中間の方向に傾動された場合には、ピボット部材４４と隆起部４２ｆの稜線が干渉し、その方向の傾動が阻止される。このため、ピボット部材４４は、常に何れかのカム構成部材、又はリセットカム構成部材の方向に傾動される。従って、操作部カバー部材４２は、ピボット部材４４の傾動を所定の４方向に規制する傾動規制部材として機能する。
【００７０】
弾性カバー部材４６は、図４に示すように、概ね、円形の椀状の弾性部材であり、中央に円形の開口部４６ａが形成されている。この開口部４６ａを介して、押し釦６がピボット部材４４に取り付けられている（図３）。即ち、弾性カバー部材４６は、押し釦６とピボット部材４４の間に挟まれて固定される。このように、押し釦６とピボット部材４４は一体化され、ピボット運動可能な傾動操作部材として機能し、押し釦６は使用者により操作力が加えられる傾動操作部材の操作部を構成し、ピボット部材４４のピボット突起は傾動操作部材の傾動軸部を構成する。また、弾性カバー部材４６は、操作部カバー部材４２の上端部（水路切換装置本体２４の反対側の部分）を覆うように配置される。弾性カバー部材４６は可撓性のある弾性体で構成されているため、押し釦６が押圧操作されたとき弾性変形され、ピボット点を中心とする押し釦６及びピボット部材４４の傾動が許容される。また、弾性カバー部材４６は、押し釦６に作用する操作力が除去されると、その弾性によりもとの形状に復帰され、押し釦６及びピボット部材４４を傾動していない位置に復帰させる。
【００７１】
次に、図１１及び図１２を新たに参照して、本発明の第１実施形態によるハンドシャワーヘッド１の作用を説明する。図１１及び図１２は、ハンドシャワーヘッド１に内蔵されている水路切換装置１０の作用を説明するための図である。
【００７２】
まず、図１、図２及び図５を参照して、ハンドシャワーヘッド１の作用の概略を説明する。
ハンドシャワーヘッド１の使用者が押し釦６を押圧し、押し釦６を散水板４の側（第１カム構成部材３６ａ及び操作棹４０ａが配置されている側）に傾動させると、第１弁体２６ａが開弁状態となり、吐水が開始される。第１弁体２６ａが開弁状態にされると、図２、図５に矢印で示すように、通水路形成部材８から水路切換装置１０に流入した湯水は、第１弁体２６ａの周囲を通って弁座形成部材２８の弁孔２８ａに流入する（ただし、図２、図５には閉弁状態が示されている）。弁孔２８ａを通過した湯水は、第１散水室形成部材１２の第１水路１２ａに流入し、第１水路１２ａと連通するように形成された第２散水室形成部材１４の貫通穴１４ｂ（図２）を通って、第２散水室形成部材１４と散水ノズル形成部材１８の間の空間に流入する。この空間に流入した湯水は、散水ノズル形成部材１８に設けられた多数の散水ノズル１８ａからスプレー吐水される。
【００７３】
次いで、使用者が押し釦６を押圧し、押し釦６を側方（第２カム構成部材３６ｂ及び操作棹４０ｂが配置されている側）に傾動させると、開弁されていた第１弁体２６ａは閉弁位置に移動される一方、第２弁体２６ｂが開弁位置に移動される。なお、第１弁体２６ａを閉弁位置に移動させ、第２弁体２６ｂを開弁位置に移動させる水路切換装置１０の作用は後述する。第２弁体２６ｂが開弁位置に移動されると、水路切換装置１０に流入した湯水は、第２弁体２６ｂの周囲を通って弁座形成部材２８の弁孔２８ｂに流入する。弁孔２８ｂを通過した湯水は、第１散水室形成部材１２の第２水路１２ｂに流入する。第２水路１２ｂに流入した湯水は、第２水路１２ｂと連通するように形成された第２散水室形成部材１４の貫通穴１４ａ（図２）を通って、回転ノズル２０の散水ノズル孔２０ａから吐出される。回転ノズル２０は第１水路１２ａに流入した湯水の水勢により、すりこぎ状に回転運動され、散水ノズル孔２０ａから吐出される湯水は、螺旋を描くジャイロビート吐水となる。
【００７４】
さらに、使用者が押し釦６を押圧し、押し釦６を側方（第３カム構成部材３６ｃ及び操作棹４０ｃが配置されている側）に傾動させると、開弁されていた第２弁体２６ｂは閉弁位置に移動される一方、第３弁体２６ｃが開弁位置に移動される。第３弁体２６ｃが開弁位置に移動されると、水路切換装置１０に流入した湯水は、第３弁体２６ｃの周囲を通って弁座形成部材２８の弁孔２８ｃに流入する。弁孔２８ｃを通過した湯水は、第１散水室形成部材１２の第３水路１２ｃに流入する。第３水路１２ｃに流入した湯水は、第３水路１２ｃと連通するように形成された第２散水室形成部材１４の貫通穴１４ｃ（図２）から流出する。貫通穴１４ｃから流出した湯水は、貫通穴１４ｃと向かい合うように散水ノズル形成部材１８に設けられた円弧状の散水ノズル１８ｂから滝状吐水される。
【００７５】
次に、使用者が押し釦６を押圧し、押し釦６を散水板４とは反対の側（リセットカム構成部材３８が配置されている側）に傾動させると、開弁されていた第３弁体２６ｃは閉弁位置に移動され、止水状態となる。
【００７６】
次に、図１１及び図１２を参照して、水路切換装置１０の作用を説明する。図１１は、水路切換装置１０の作用を示す説明図であり、カム構成部材の操作カム部、カム構成部材に取り付けられた操作棹、及び円環状ロック部材３４の一部を示し、これらの位置関係を表している。図１１上段は、第１カム構成部材３６ａが初期位置から押込位置に押し込まれ、保持される過程を順に示しており、下段は、上段の作用と同時に、押込位置に保持されていた第２カム構成部材３６ｂが、初期位置に復帰される過程を順に示している。
【００７７】
まず、図１１（ｉ）の状態においては、第１カム構成部材３６ａ及びこれに取り付けられた操作棹４０ａは初期位置にあり、操作棹４０ａに対応して配置されている第１弁体２６ａは、閉弁位置（図３における第１弁体２６ａの位置）にある。一方、図１１（ｉ）の状態において、第２カム構成部材３６ｂ及びこれに取り付けられた操作棹４０ｂは押込位置にあり、操作棹４０ｂに対応して配置されている第２弁体２６ｂは、開弁位置（操作棹４０ｂが図３における下方に押し込まれ、これに当接している第２弁体２６ｂが左方に移動されている位置）にある。
【００７８】
なお、第２カム構成部材３６ｂは、コイルバネ４８ａにより初期位置に向けて付勢されている。しかしながら、図１１（ｉ）下段に示すように、第２カム構成部材３６ｂの操作カム部が、ロック位置にある円環状ロック部材３４の対応する係合爪３４ｃと係合されているため、コイルバネ４８ａの付勢力に抗して第２カム構成部材３６ｂ及び操作棹４０ｂは、押込位置に保持される。
【００７９】
次に、使用者が押し釦６を操作して、第１カム構成部材３６ａを押し込むと、図１１（ｉｉ）上段に示すように、第１カム構成部材３６ａの操作カム部３７ｃによって、これと当接している円環状ロック部材３４のカム面３４ｅが押される。これにより、円環状ロック部材３４は、捩りバネ５０の付勢力に抗して、図４における反時計回り（図１１における右方）に回動される。
【００８０】
第１カム構成部材３６ａが図１１（ｉｉ）上段に示す位置まで押し込まれると、円環状ロック部材３４はロック解除位置に移動される。また、同時に、図１１（ｉｉ）下段に示すように、第２カム構成部材３６ｂと係合していた係合爪３４ｃも図１１における右方に移動される。これにより、第２カム構成部材３６ｂと係合爪３４ｃの係合が解除され、第２カム構成部材３６ｂはコイルバネ４８ａの付勢力により、初期位置に復帰される。第２カム構成部材３６ｂ及び操作棹４０ｂが初期位置に復帰されると、操作棹４０ｂに当接している第２弁体２６ｂは、第２弁体２６ｂを付勢しているコイルバネ５４の付勢力により、閉弁位置に移動される。
【００８１】
さらに、図１１（ｉｉｉ）上段に示すように、第１カム構成部材３６ａが係合爪３４ｃと係合しない位置まで押し込まれると、円環状ロック部材３４は、捩りバネ５０の付勢力により、図４における時計回り（図１１における左方）に回動され、ロック位置に移動される。円環状ロック部材３４がロック位置に移動されると、図１１（ｉｉｉ）上段に示すように、第１カム構成部材３６ａが係合爪３４ｃの下側に入り込み、第１カム構成部材３６ａと係合爪３４ｃが係合する。これにより、使用者による操作力が除去された後も、第１カム構成部材３６ａは押込位置に保持される。また、第１カム構成部材３６ａ及び操作棹４０ａが押込位置に移動される際、操作棹４０ａの先端が第１弁体２６ａの傾斜平面２７ｅを押圧し、第１弁体２６ａは、これに取り付けられたコイルバネ５４の付勢力に抗して、図３における左方に移動される。第１カム構成部材３６ａが押込位置に保持されると、操作棹４０ａに当接している第１弁体２６ａは、開弁位置に保持され、吐水状態が維持される。
【００８２】
以上のように、図１１（ｉ）の状態では、第２カム構成部材３６ｂが押込位置に保持され、第２弁体２６ｂが開弁され、ジャイロビート吐水が行われている。この状態において、第１カム構成部材３６ａが初期位置から押込位置に押し込まれると、図１１（ｉｉ）に示すように、第２カム構成部材３６ｂが押込位置から初期位置に移動されると共に、第２弁体２６ｂが閉弁される。これと同時に、第１弁体２６ａが開弁されて、スプレー吐水が開始される。また、図１１（ｉｉｉ）に示すように、押込位置に押し込まれた第１カム構成部材３６ａは押込位置にロックされ、押圧力が除去された後も吐水状態が維持される。
【００８３】
図１１に示す例では、ジャイロビート吐水が行われている状態から第１カム構成部材３６ａが押圧された場合を説明したが、本実施形態の水路切換装置１０は、何れかの吐水が行われている状態において、別の吐水用のカム構成部材が押し込まれると、従前の吐水が停止されると共に、押圧したカム構成部材に対応する形態の吐水が開始されるように作用する。
【００８４】
次に、図１２を参照して、リセットカム構成部材３８が押圧された場合における水路切換装置１０の作用を説明する。
図１２は、水路切換装置１０の作用を示す説明図であり、リセットカム構成部材３８の操作カム部、カム構成部材の操作カム部、カム構成部材に取り付けられた操作棹、及び円環状ロック部材３４の一部の位置関係を示している。図１２上段は、リセットカム構成部材３８が初期位置から押込位置に押し込まれ、再び初期位置に復帰される過程を順に示しており、下段は、上段の作用と同時に、押込位置に保持されていた第２カム構成部材３６ｂが、初期位置に復帰される過程を順に示している。
【００８５】
まず、図１２（ｉ）の状態においては、リセットカム構成部材３８は初期位置にある。一方、図１２（ｉ）の状態において、第２カム構成部材３６ｂ及びこれに取り付けられた操作棹４０ｂは押込位置に保持されており、第２弁体２６ｂは開弁位置にある。
【００８６】
次に、使用者が押し釦６を操作して、リセットカム構成部材３８を押し込むと、図１２（ｉｉ）上段に示すように、リセットカム構成部材３８のリセット用カム部と当接している円環状ロック部材３４のカム面３４ｆが押される。これにより、円環状ロック部材３４は、捩りバネ５０の付勢力に抗して、図４における反時計回り（図１２における右方）に回動される。
【００８７】
リセットカム構成部材３８が図１２（ｉｉ）上段に示す位置まで押し込まれると、円環状ロック部材３４はロック解除位置に移動される。また、同時に、図１２（ｉｉ）下段に示すように、第２カム構成部材３６ｂと係合していた係合爪３４ｃも図１２における右方に移動される。これにより、第２カム構成部材３６ｂと係合爪３４ｃの係合が解除され、第２カム構成部材３６ｂは初期位置に復帰され、第２弁体２６ｂは閉弁位置に移動される。
【００８８】
さらに、図１２（ｉｉ）上段に示すように、リセットカム構成部材３８と当接しているリセット用突出部３４ｄには係合爪が設けられていないため、リセットカム構成部材３８が押込位置まで押し込まれた状態においても、円環状ロック部材３４はロック解除位置に維持される。
【００８９】
次に、使用者による操作力が除去されると、図１２（ｉｉｉ）上段に示すように、リセットカム構成部材３８は、コイルバネ４８ｂの付勢力により初期位置に復帰される。リセットカム構成部材３８が初期位置に復帰されると、円環状ロック部材３４は、捩りバネ５０の付勢力により、図４における時計回り（図１２における左方）に回動され、ロック位置に移動される。
【００９０】
以上のように、図１２（ｉ）の状態では、第２カム構成部材３６ｂが押込位置に保持され、第２弁体２６ｂが開弁され、ジャイロビート吐水が行われている。この状態において、リセットカム構成部材３８が初期位置から押込位置に押し込まれると、図１２（ｉｉ）に示すように、第２カム構成部材３６ｂが押込位置から初期位置に移動されると共に、第２弁体２６ｂが閉弁され、止水状態となる。また、リセットカム構成部材３８は、図１２（ｉｉｉ）に示すように、使用者による操作力が作用しなくなると、初期位置に復帰する。
【００９１】
図１２に示す例では、ジャイロビート吐水が行われている状態からリセットカム構成部材３８が押圧された場合を説明したが、本実施形態の水路切換装置１０は、何れかの吐水が行われている状態において、リセットカム構成部材３８が押し込まれると、従前の吐水が停止され、全てのカム構成部材及びリセットカム構成部材３８が初期位置に復帰するように作用する。
【００９２】
本発明の第１実施形態の水路切換装置１０によれば、単一の押し釦６の各方向への傾動操作により、四つの吐止水モードが、相互に、ダイレクトに切り換えられるので、水路切換装置１０の操作性を向上させることができる。また、単一の押し釦６の傾動により吐止水モードが切り換えられるので、使用者は、押し釦６を大まかに各方向に傾動させるだけで、確実に所望の吐止水モードに切り換えることができる。
【００９３】
また、本実施形態の水路切換装置１０によれば、押し釦６とピボット点の間がピボット突起４４ａにより離間されており、使用者は、押し釦６を概ね水平方向に移動させるだけでピボット部材４４を各方向に傾動させることができる。これにより、使用者は押し釦６中央の凹部に指先を当てたままピボット部材４４を各方向に傾動させることができ、指一本で容易に吐止水モードを切換えることができる。
【００９４】
さらに、本実施形態の水路切換装置１０によれば、ピボット部材４４が、操作棹４０ａ、４０ｂ、４０ｃの一端部を線接触により押圧するので、繰り返し操作が行われた場合でもピボット部材４４が摩耗しにくく、水路切換装置１０の耐久性を向上させることができる。
【００９５】
また、本実施形態の水路切換装置１０によれば、操作部カバー部材４２によりピボット部材４４の傾動方向が規制されるので、四つの吐止水モードのうちの一つのモードを確実に選択することができる。
【００９６】
さらに、本実施形態の水路切換装置１０によれば、シャワーヘッド本体２の把持部２ａに押し釦６が配置されているので、使用者はハンドシャワーヘッド１を把持した手指で吐止水モードを切り換えることができる。また、押し釦６に指先を当てたまま各方向に移動（傾動）させるだけで吐止水モードを切り換えることができるので、小型の押し釦６により四つの吐止水モードを容易に切り換えることができる。
【００９７】
次に、図１３乃至図２１を参照して、本発明の第２実施形態による水路切換装置が内蔵された水栓装置を説明する。
図１３は、本発明の第２実施形態による水路切換装置が内蔵された水栓装置全体を示す斜視図である。
図１３に示すように、水栓装置１００は、水栓装置本体１０２と、湯供給管１０４と、水供給管１０６と、カラン吐水部１０８と、シャワー吐水部１１０と、傾動操作部材である吐止水モード切換操作部１１２と、温度設定ツマミ１１４と、流量設定ツマミ１１６と、を有する。使用時においては、シャワー吐水部１１０には、シャワーホース及びハンドシャワーヘッド（図示せず）が取り付けられる。
【００９８】
水栓装置本体１０２には、湯供給管１０４及び水供給管１０６が接続されており、これらを介して供給された湯及び水は、水栓装置本体１０２に内蔵されたサーモ水栓により所定の割合で混合された後、内蔵された流量調整弁により流量調整され、吐出される。吐止水モード切換操作部１１２は、中央のピボット点を中心にピボット運動可能に設けられた操作部であり、その「カラン」マーク付近を押圧すると、温度調整及び流量調整された混合水が、カラン吐水部１０８から吐出される。同様に、吐止水モード切換操作部１１２の「シャワー」マーク付近を押圧すると、温度調整及び流量調整された混合水が、シャワー吐水部１１０を介してハンドシャワーヘッドから吐出される。また、吐止水モード切換操作部１１２の「止」マーク付近を押圧すると、何れの吐水状態にある場合も、止水状態となる。
【００９９】
次に、図１４乃至図２１を参照して、本発明の第２実施形態による水路切換装置を内蔵した水栓装置１００の内部構造を説明する。
図１４は水栓装置１００の平面断面図であり、図１５は正面断面図であり、図１６は側面断面図である。図１７は、水栓装置本体に内蔵された水路切換装置部の拡大断面図である。図１８は、水栓装置本体に内蔵された水路切換装置部の分解斜視図である。図１９は、水栓装置本体に内蔵された水路切換装置に使用されているピボット受け部材の斜視図である。図２０は、水栓装置本体に内蔵された水路切換装置に使用されているピボット部材の斜視図である。図２１は、水栓装置本体のカバーを取り外した状態を示す、水栓装置の斜視図である。
【０１００】
水栓装置本体１０２は、図１３乃至図１６に示すように、正面部が曲面に形成された概ね直方体状の部材であり、サーモ水栓１１８、流量調整弁１２０、及び水路切換装置１２２が内蔵されている。
湯供給管１０４及び水供給管１０６は、水栓装置本体１０２の背面側に接続された配管である。湯供給管１０４は給湯装置から吐出した湯を水栓装置本体１０２に供給し、水供給管１０６は水道水を水栓装置本体１０２に供給するようになっている。湯供給管１０４から供給された湯は、水栓装置本体１０２内を、図１４に実線で示す矢印に沿って流れ、サーモ水栓１１８に流入する。水供給管１０６から供給された水は、水栓装置本体１０２内を、図１４に破線で示す矢印に沿って流れ、サーモ水栓１１８に流入する。
【０１０１】
カラン吐水部１０８は、水栓装置本体１０２の底面から前方（使用者の方）へ突出するように延び、その先端下部に吐出口が設けられている。
シャワー吐水部１１０は、水栓装置本体１０２の背面から後方（壁面の方）に延び、その下方に向かって吐出口が設けられている。この吐出口には、シャワーホース（図示せず）が接続されるようになっている。
【０１０２】
吐止水モード切換操作部１１２は、使用者によって直接押圧操作される円板状の部材であり、正面前方に「止」マーク、左奥に「カラン」マーク、右奥に「シャワー」マークが付けられている。使用者が、各マークの近傍を押下すると、吐止水モード切換操作部１１２の下方に配置された水路切換装置１２２の弁が開閉されて流路が切り換えられ、吐止水モードが切り換えられる。なお、水路切換装置１２２の構成については、後述する。本実施形態においては、使用者により操作されると、吐止水モード切換操作部１１２は、中央のピボット点を中心に正面前方、左奥、又は右奥の何れかの方向に傾動され、その状態に保持される。
【０１０３】
温度設定ツマミ１１４は、水栓装置本体１０２の左側面に設けられた概ね円筒形のツマミであり、これを回動させることにより内蔵されたサーモ水栓１１８の温度設定を変更することができる。
流量設定ツマミ１１６は、水栓装置本体１０２の右側面に設けられた概ね円筒形のツマミであり、これを回動させることにより内蔵された流量調整弁１２０の設定流量を変更することができる。
【０１０４】
サーモ水栓１１８は、図１４に示すように、温調用弁体１２４と、バイアスばね１２６と、形状記憶合金ばね１２８と、温度調整ねじ１３０と、バイアスばね押え１３２を有する。サーモ水栓１１８内に流入し、混合された湯及び水は、図１４に一点鎖線の矢印で示すように、サーモ水栓１１８の側面から流出し、図１４において右側に配置された流量調整弁１２０に流入する。
【０１０５】
温調用弁体１２４は、概ね円筒状の弁体であり、サーモ水栓１１８内で水平方向に摺動可能に配置されている。温調用弁体１２４が、図１４の右方向に移動されると、サーモ水栓１１８内に流入する湯の量が増加する一方、流入する水の量が減少する。これにより、サーモ水栓１１８から流出する混合水の温度が上昇する。逆に、温調用弁体１２４が、図１４の左方向に移動されると、サーモ水栓１１８内に流入する水の量が増加する一方、流入する湯の量が減少する。これにより、サーモ水栓１１８から流出する混合水の温度が低下する。
【０１０６】
バイアスばね１２６は、サーモ水栓１１８内に温調用弁体１２４と同軸上に配置されたコイルばねであり、温調用弁体１２４を図１４の右方向に付勢する。
形状記憶合金ばね１２８は、サーモ水栓１１８内に温調用弁体１２４と同軸上に配置された形状記憶合金製のコイルばねであり、温調用弁体１２４を図１４の左方向に付勢する。サーモ水栓１１８内で混合された混合水の温度が上昇すると、形状記憶合金ばね１２８が発生する付勢力が増大し、温調用弁体１２４は図１４の左方向に移動される。これにより、サーモ水栓１１８に流入する湯の量が減少し、混合水の温度が低下する。一方、サーモ水栓１１８内で混合された混合水の温度が低下すると、形状記憶合金ばね１２８が発生する付勢力が減少し、温調用弁体１２４は図１４の右方向に移動される。これにより、サーモ水栓１１８に流入する水の量が減少し、混合水の温度が上昇する。
【０１０７】
温度調整ねじ１３０は、温度設定ツマミ１１４と共に回動するように設けられた雄ねじである。
バイアスばね押え１３２は、概ね円筒状の部材であり、内側には雌ねじが形成されている。この雌ねじは、温度調整ねじ１３０と螺合されており、温度設定ツマミ１１４が回動操作されると、バイアスばね押え１３２は、図１４における左右方向に移動される。温度設定ツマミ１１４とは反対側の、バイアスばね押え１３２の端部はバイアスばね１２６に当接されており、バイアスばね押え１３２が移動されると、バイアスばね１２６が温調用弁体１２４を付勢する付勢力が変化する。これにより、バイアスばね１２６と形状記憶合金ばね１２８の付勢力が釣り合う位置が変化し、サーモ水栓１１８の設定温度が変更される。
【０１０８】
流量調整弁１２０は、図１６に示すように、概ね円筒形の流調弁体１３４を有する。流量設定ツマミ１１６が回動操作されると、流調弁体１３４が回動され、弁口の開度が変化することにより流量が変更される。サーモ水栓１１８から流出した混合水は、円筒形の流調弁体１３４の内側に流入し、弁口を通って流調弁体１３４の外側に流出する。流量調整弁１２０から流出した混合水は、図１６に実線の矢印で示すように、水路切換装置１２２の上流側に流入する。
【０１０９】
次に、図１７乃至図２１を参照して、水栓装置１００に内蔵された本発明の第２実施形態による水路切換装置１２２の構成を説明する。
図１７に示すように、水路切換装置１２２は、２つのプッシュ式水栓１３６ａ、１３６ｂと、吐止水モード切換操作部１１２に対する操作を各プッシュ式水栓に伝達するピボット機構１３８と、を有する。図１８に示すように、プッシュ式水栓１３６ａは、ダイヤフラム１４０と、主弁本体１４２と、パイロット弁１４４と、パイロット弁ばね１４６と、弁作動棹であるシャフト１４８と、圧力室形成部材１５０と、クリーニングピン１５２と、Ｏリング１５４と、を有する。なお、プッシュ式水栓１３６ｂも、プッシュ式水栓１３６ａと同様の構成を備えているが、図１８においては図示が省略されている。
【０１１０】
また、図１８に示すように、ピボット機構１３８は、ベース部材１５６と、押え板１５８と、ピボット受け部材１６０と、ピボット部材１６２と、ピボット部材押え１６４と、シャフト止め１６６と、操作部押え１６８と、を有する。
【０１１１】
まず、各プッシュ式水栓の構成を説明する。
ダイヤフラム１４０は、概ね円板状の可撓性の部材であり、主弁本体１４２と一体化されることにより弁体を形成する。図１７に示すように、ダイヤフラム１４０の外周部は、水栓装置本体１０２のダイヤフラム固定部１０２ａとベース部材１５６との間に挟まれることにより、水栓装置本体１０２に固定される。さらに、ダイヤフラム１４０は、固定されている外周部の内側が変形可能に構成されており、この部分が弾性変形されることにより、弁体の開弁位置と閉弁位置との間の移動を可能にする。なお、図１７においては、プッシュ式水栓１３６ａは開弁状態で示され、プッシュ式水栓１３６ｂは閉弁状態で示されている。
【０１１２】
主弁本体１４２は、概ね円板状の部材であり、ダイヤフラム１４０と一体化されることにより弁体を形成する。また、主弁本体１４２の中心軸線上には、パイロット弁口１４２ａが設けられている。
パイロット弁１４４は、概ね円柱状の小型の弁体であり、吐止水モード切換操作部１１２の操作に基づいて、主弁本体１４２のパイロット弁口１４２ａを開閉するように設けられている。
【０１１３】
パイロット弁ばね１４６は、パイロット弁１４４と圧力室形成部材１５０の天井面との間に配置され、パイロット弁１４４をパイロット弁口１４２ａに向けて付勢するように構成されている。
シャフト１４８は、その下端部がパイロット弁１４４に取り付けられ、パイロット弁１４４から上方に延びるように配置される。吐止水モード切換操作部１１２の操作によりシャフト１４８が引き上げられると、パイロット弁１４４は、パイロット弁ばね１４６の付勢力に抗してパイロット弁口１４２ａから引き離され、パイロット弁口１４２ａが開弁される。
【０１１４】
圧力室形成部材１５０は、下端が開放したカップ状の部材であり、内部に、パイロット弁１４４及びパイロット弁ばね１４６が収容される。また、圧力室形成部材１５０の上端面中央には穴が設けられており、この穴を貫通してシャフト１４８が圧力室の外部まで延びている。圧力室形成部材１５０は、その内側の空間と、ダイヤフラム１４０及び主弁本体１４２の上方の空間からなる圧力室を形成する。
【０１１５】
クリーニングピン１５２は、圧力室形成部材１５０の外周に配置される円形部と、この円形部から下方に延びる直線部を構成するように曲げられた針金である。クリーニングピン１５２の直線部は、ダイヤフラム１４０に設けられた小穴１４０ａ及び主弁本体１４２に設けられた小穴１４２ｂを貫通して下方に延びている。クリーニングピン１５２が各小穴に貫通されることにより、水道水に混入した異物等による小穴の詰まりを防止している。
Ｏリング１５４は、圧力室形成部材１５０を貫通して延びるシャフト１４８の周囲に配置され、圧力室の水密性を保持している。
【０１１６】
次に、ピボット機構１３８の構成を説明する。
ベース部材１５６は、水栓装置本体１０２の内部に配置される板状の部材である。また、ベース部材１５６には、内部に圧力室形成部材１５０を収容するための２つの圧力室構成部１５６ａが設けられている。
【０１１７】
押え板１５８は、ベース部材１５６の上に配置される板状の部材である。ベース部材１５６を、水栓装置本体１０２と押え板１５８との間に挟み、押え板１５８を水栓装置本体１０２に取り付けることにより、ベース部材１５６が水栓装置本体１０２に固定される。また、押え板１５８には、各圧力室構成部１５６ａを受け入れるための２つの丸穴１５８ａが設けられている。
【０１１８】
ピボット受け部材１６０は、押え板１５８の上に配置されるＴ字型の板状の部材である。図１９に示すように、ピボット受け部材１６０には、Ｔ字型の交点を中心とする窪みが設けられており、この窪みの表面が３つの球面１６０ａにより構成されている。これら３つの球面１６０ａは、ピボット点を中心とする単一の球の表面の一部をなしている。また、各球面１６０ａの中央には、楔状の切欠部１６０ｂが夫々設けられている。さらに、Ｔ字型の３つの端部分には、図１９に破線で示すように、吸着用の磁石１６０ｃが夫々埋め込まれている。これら３つの磁石１６０ｃは、ピボット部材１６２に埋め込まれた鉄板を吸着することにより、ピボット部材１６２を各方向に傾動された状態に保持する。
【０１１９】
ピボット部材押え１６４は、概ね円筒状の部材であり、その中心を通るビス（図示せず）により、ピボット部材１６２及びピボット受け部材１６０を通してベース部材１５６にねじ止めされる。これにより、ピボット受け部材１６０は、ピボット部材押え１６４とベース部材１５６の間に挟まれ、ベース部材１５６に固定される。また、ピボット部材１６２は、ピボット部材押え１６４の鍔部１６４ａと係合し、ピボット受け部材１６０と鍔部１６４ａとの間に、ピボット運動可能に支持される。
【０１２０】
吐止水モード切換操作部１１２は、ピボット部材１６２に対してスナップ嵌めされ、ピボット部材１６２と一体化される。
操作部押え１６８は、３本の脚部を有する円板状の部材であり、吐止水モード切換操作部１１２に対してスナップ嵌めにより固定される。
【０１２１】
次に、図２０を参照して、ピボット部材１６２の構成を説明する。図２０（ａ）はピボット部材１６２の上面を示す斜視図であり、（ｂ）は下面を示す斜視図である。
【０１２２】
図２０に示すように、ピボット部材１６２は概ね板状の部材であり、そのほぼ中央に３つの球面１７０ａが設けられている。これら３つの球面１７０ａは、ピボット部材１６２の下面から突出するように設けられており、各球面１７０ａは、ピボット点Ｐを中心とする単一の球の表面の一部をなしている。また、各球面１７０ａの中央には楔状の突起１７０ｂが夫々設けられている。ピボット部材１６２の各球面１７０ａは、ピボット受け部材１６０の各球面１６０ａと夫々合致するように形成されていると共に、各突起１７０ｂは、ピボット受け部材１６０の各切欠部１６０ｂに受け入れられるように形成されている。これにより、ピボット部材１６２は、ピボット受け部材１６０に対し、ピボット点Ｐを中心とするピボット運動可能に支持される。
【０１２３】
また、ピボット部材１６２の下面は、３本の稜線で区切られた第１の平面１７２ａ、第２の平面１７２ｂ、第３の平面１７２ｃから構成されている。このため、ピボット部材１６２がピボット点Ｐを通る第１の回動軸線Ａ１を中心に回動されると、第１の平面１７２ａがピボット受け部材１６０の上面と面接触する。同様に、ピボット部材１６２が第２の回動軸線Ａ２を中心に回動されると、第２の平面１７２ｂがピボット受け部材１６０の上面と面接触し、第３の回動軸線Ａ３を中心に回動されると、第３の平面１７２ｃがピボット受け部材１６０の上面と面接触する。なお、本明細書においては、ピボット部材１６２のように、複数の回動軸線を中心とした回動（傾動）が可能な運動を「ピボット運動」と呼んでいる。
【０１２４】
さらに、ピボット部材１６２には、円形の鉄板を取り付けるための３つの円形穴１６２ａ、１６２ｂ、１６２ｃが設けられている。これら３つの円形穴には、円形の鉄製の薄板（図示せず）が夫々嵌め込まれて固定される。ピボット部材１６２が第１の回動軸線Ａ１を中心に回動され、第１の平面１７２ａとピボット受け部材１６０が接触すると、円形穴１６２ａに嵌め込まれた鉄板が、ピボット受け部材１６０に埋め込まれた磁石１６０ｃに吸着される。これにより、ピボット部材１６２は、第１の平面１７２ａとピボット受け部材１６０が接触した状態に保持される。同様に、第２の平面１７２ｂとピボット受け部材１６０が接触すると、円形穴１６２ｂに嵌め込まれた鉄板が吸着され、第３の平面１７２ｃとピボット受け部材１６０が接触すると、円形穴１６２ｃに嵌め込まれた鉄板が吸着され、それらの状態が保持される。従って、本実施形態においては、ピボット部材１６２に取り付けられた鉄板、及びピボット受け部材１６０に埋め込まれた磁石１６０ｃは、傾動された吐止水モード切換操作部１１２を、その位置に保持する傾動保持手段として機能する。
【０１２５】
また、ピボット部材１６２には、２本のシャフト１４８を夫々固定するための２つのシャフト固定部１６２ｄ、１６２ｅが夫々設けられている。これらのシャフト固定部には、パイロット弁１４４から延びるシャフト１４８の上端部が固定される。シャフト１４８の上端部には環状の溝が設けられている（図１８）。一方、シャフト止め１６６（図１８）は切欠を有する円板状の部材であり、この切欠にシャフト１４８の溝を嵌め込むことにより、シャフト止め１６６がシャフト１４８に取り付けられる。シャフト１４８の上端部をピボット部材１６２のシャフト固定部に挿入した状態で、シャフト止め１６６をシャフト１４８に取り付けることにより、シャフト１４８がピボット部材１６２に取り付けられる（図１７）。
【０１２６】
ここで、ピボット部材１６２の第３の平面１７２ｃとピボット受け部材１６０が接触している状態では、図１７に示すように、プッシュ式水栓１３６ｂのシャフト１４８は下降した状態になる一方、プッシュ式水栓１３６ａのシャフト１４８は上昇した状態になる。逆に、第２の平面１７２ｂとピボット受け部材１６０が接触している状態では、プッシュ式水栓１３６ａのシャフト１４８は下降した状態になる一方、プッシュ式水栓１３６ｂのシャフト１４８は上昇した状態になる。また、第１の平面１７２ａとピボット受け部材１６０が接触している状態では、両方のシャフト１４８が下降した状態になる。このように、ピボット部材１６２のピボット運動により、プッシュ式水栓１３６ａのシャフト１４８のみが上昇した状態、プッシュ式水栓１３６ｂのシャフト１４８のみが上昇した状態、及び両方のシャフト１４８が下降した状態の何れかが選択される。
【０１２７】
次に、図２１を参照して、吐止水モード切換操作部の固定機構を説明する。
図２１に示すように、水栓装置本体１０２の背面には、傾動ロック部材１７４が水平方向にスライド可能に取り付けられている。傾動ロック部材１７４は、水栓装置本体１０２の外部に露出されるスライド操作部１７４ａと、このスライド操作部１７４ａから延びるＬ字型の係合部１７４ｂと、を有する。一方、吐止水モード切換操作部１１２の背面側下部には、係合部１７４ｂを受け入れるようになったロック凹部１１２ａが形成されている。
【０１２８】
スライド操作部１７４ａが、使用者により吐止水モード切換操作部１１２の方にスライドされると、水平方向に延びる係合部１７４ｂの先端部が、吐止水モード切換操作部１１２のロック凹部１１２ａの中に挿入される。係合部１７４ｂがロック凹部１１２ａに挿入された状態では、吐止水モード切換操作部１１２のピボット運動が手前の「止」マークが押し込まれた状態に係止され、他の方向に傾動できなくなり、水栓装置１００は止水状態に保持される。このように、吐止水モード切換操作部１１２を止水状態にロックすることにより、浴室の清掃中等に誤って吐止水モード切換操作部１１２を押圧して不意に吐水が開始されたり、子供の悪戯により吐水が開始されるのを防止することができる。
【０１２９】
次に、図１７を参照して、プッシュ式水栓１３６ａ、１３６ｂの作用を説明する。
まず、サーモ水栓１１８（図１４）において混合され、流量調整弁１２０（図１４）において流量調整された混合水は、水栓装置本体１０２内に形成された水路１０２ｂ（図１７）に到達する。プッシュ式水栓１３６ａが開弁状態にある場合には、水路１０２ｂに到達した混合水は、図１７に実線の矢印で示すように、水栓装置本体１０２内に形成された主弁口１０２ｃに流入する。プッシュ式水栓１３６ａの主弁口１０２ｃを通過した混合水は、カラン吐水部１０８から吐出される。一方、プッシュ式水栓１３６ｂの主弁口を通過した混合水は、シャワー吐水部１１０から吐出される。
【０１３０】
また、水路１０２ｂに到達した混合水の一部は、ダイヤフラム１４０及び主弁本体１４２に設けられた小穴を通って弁体上方の圧力室内にも流入する。しかしながら、図１７に示すプッシュ式水栓１３６ａでは、パイロット弁１４４がシャフト１４８により引き上げられ、パイロット弁口１４２ａが開弁されているため、圧力室内に流入した混合水はパイロット弁口１４２ａを通って流出し、圧力室内の圧力が上昇することはない。
【０１３１】
一方、図１７に示されているプッシュ式水栓１３６ｂのように、シャフト１４８が下降している状態では、パイロット弁１４４はパイロット弁ばね１４６によりパイロット弁口１４２ａに押しつけられ、パイロット弁口１４２ａは閉弁される。この状態においては、ダイヤフラム１４０及び主弁本体１４２の小穴を通って圧力室内に流入した混合水が圧力室内に溜まるので、圧力室内の圧力が上昇する。この圧力により、弁体が主弁口に向けて押し下げられ、プッシュ式水栓は閉弁状態となる。なお、パイロット弁１４４はパイロット弁ばね１４６により付勢されているため、シャフト１４８が下降している状態においては、弁体が下降してもパイロット弁口１４２ａは閉弁状態に維持される。
【０１３２】
このように、パイロット弁口１４２ａは、対応するシャフト１４８の上昇、下降により開閉され、このパイロット弁口１４２ａの開閉に基づいて、各プッシュ式水栓が開閉される。
【０１３３】
次に、本発明の第２実施形態による水路切換装置１２２の作用を説明する。
まず、吐止水モード切換操作部１１２手前の「止」マークが押し込まれた状態においては、プッシュ式水栓１３６ａ、１３６ｂ両方のシャフト１４８が下降した状態にある。この状態においては、ピボット部材１６２の第１の平面１７２ａとピボット受け部材１６０の上面が面接触した状態にあり、円形穴１６２ａに嵌め込まれた鉄板と磁石１６０ｃの吸着力により、この状態が保持される。また、この状態では、両方のプッシュ式水栓１３６ａ、１３６ｂが閉弁状態となり、水栓装置１００は止水状態となる。
【０１３４】
次に、使用者が、吐止水モード切換操作部１１２左奥の「カラン」マーク付近を押圧すると、吐止水モード切換操作部１１２がピボット部材１６２と共にピボット運動され、第３の平面１７２ｃとピボット受け部材１６０の上面が面接触する状態に移行する。これにより、ピボット部材１６２の右手前に取り付けられたシャフト１４８が上昇され、これに対応するプッシュ式水栓１３６ａが開弁状態となり、カラン吐水部１０８から混合水が吐出される。この状態では、円形穴１６２ｃに嵌め込まれた鉄板が磁石１６０ｃに吸着され、吐止水モード切換操作部１１２の傾動状態が保持される。
【０１３５】
さらに、使用者が、吐止水モード切換操作部１１２右奥の「シャワー」マーク付近を押圧すると、吐止水モード切換操作部１１２がピボット運動され、第２の平面１７２ｂとピボット受け部材１６０の上面が面接触する状態に移行する。これにより、ピボット部材１６２の左手前に取り付けられたシャフト１４８が上昇される一方、右手前のシャフト１４８は下降される。このため、左手前のシャフト１４８に対応するプッシュ式水栓１３６ｂが開弁状態となってシャワー吐水部１１０からの吐水が開始される。また、右手前のシャフト１４８に対応するプッシュ式水栓１３６ａが閉弁状態となってカラン吐水部１０８からの吐水が停止される。この状態では、円形穴１６２ｂに嵌め込まれた鉄板が磁石１６０ｃに吸着され、吐止水モード切換操作部１１２の傾動状態が保持される。
【０１３６】
これらの止水状態、カラン吐水部１０８からの吐水状態、及びシャワー吐水部１１０からの吐水状態は、使用者の操作に基づいて、各状態間で相互に直接移行することができる。
【０１３７】
本発明の第２実施形態の水路切換装置１２２によれば、傾動された吐止水モード切換操作部１１２がその位置に保持されるので、使用者は、吐止水モード切換操作部１１２の状態から切り換えられた吐止水モードを視覚的に認識することができ、操作性を向上させることができる。
また、本実施形態の水路切換装置１２２によれば、吐止水モード切換操作部１１２のピボット運動を係止する傾動ロック部材１７４が備えられているので、清掃時や、子供の悪戯などによる意図しない吐水を防止することができる。
【０１３８】
以上、本発明の好ましい実施形態を説明したが、上述した実施形態に種々の変更を加えることができる。
【符号の説明】
【０１３９】
１    本発明の実施形態によるハンドシャワーヘッド
２    シャワーヘッド本体
２ａ  把持部
２ｂ  散水部
２ｃ  開口部
４    散水板
４ａ  散水孔
４ｂ  散水孔
４ｃ  散水孔
６    押し釦（傾動操作部材の操作部）
８    通水路形成部材
８ａ  接続部
８ｂ  先端部（開閉機構本体）
１０    水路切換装置
１２    第１散水室形成部材
１２ａ  第１水路
１２ｂ  第２水路
１２ｃ  第３水路
１４    第２散水室形成部材
１４ａ  凹部
１４ｂ  貫通穴
１４ｃ  貫通穴
１４ｄ  縁部
１６    第３散水室形成部材
１８    散水ノズル形成部材
１８ａ  散水ノズル
１８ｂ  散水ノズル
２０    回転ノズル
２０ａ  散水ノズル孔
２２    回転ノズル支持部材
２４    水路切換装置本体
２４ａ  ガイド部
２４ｂ  円形穴
２４ｃ  軸部
２６ａ  第１弁体
２６ｂ  第２弁体
２６ｃ  第３弁体
２７ａ  着座部
２７ｂ  支持フレーム部
２７ｃ  摺動突起
２７ｄ  バネ取付部
２７ｅ  傾斜平面
２８    弁座形成部材
２８ａ、２８ｂ、２８ｃ  弁孔
３２    円筒支持部材
３４    円環状ロック部材（回転ロック部材）
３４ａ  円環部
３４ｂ  突出部
３４ｃ  係合爪
３４ｄ  リセット用突出部
３４ｅ  カム面（押圧部）
３４ｆ  カム面
３４ｇ  鍔部
３６ａ  第１カム構成部材
３６ｂ  第２カム構成部材
３６ｃ  第３カム構成部材
３７ａ  取付穴
３７ｂ  鍔部
３７ｃ  操作カム部
３７ｄ  カム面
３７ｅ  先端面
３７ｆ  垂直面
３８    リセットカム構成部材
４０ａ、４０ｂ、４０ｃ  操作棹（弁作動棹）
４２    操作部カバー部材（傾動規制部材）
４２ａ  開口部
４２ｂ  段部
４２ｃ  天井面
４２ｄ  内壁面
４２ｅ  垂直面
４２ｆ  隆起部
４３    ピボット受部材
４３ａ  ピボット凹部
４４    ピボット部材（傾動操作部材）
４４ａ  ピボット突起（傾動操作部材の傾動軸部）
４６    弾性カバー部材
４６ａ  開口部
４８ａ  コイルバネ（カム部付勢手段）
４８ｂ  コイルバネ（リセット用カム部付勢手段）
５０    捩りバネ（ロック部材付勢部材）
５２    パッキン
５４    コイルバネ
１００    水栓装置
１０２    水栓装置本体
１０２ａ  ダイヤフラム固定部
１０２ｂ  水路
１０４    湯供給管
１０６    水供給管
１０８    カラン吐水部
１１０    シャワー吐水部
１１２    吐止水モード切換操作部（傾動操作部材）
１１２ａ  ロック凹部
１１４    温度設定ツマミ
１１６    流量設定ツマミ
１１８    サーモ水栓
１２０    流量調整弁
１２２    本発明の第２実施形態による水路切換装置
１２４    温調用弁体
１２６    バイアスばね
１２８    形状記憶合金ばね
１３０    温度調整ねじ
１３２    バイアスばね押え
１３４    流調弁体
１３６ａ、１３６ｂ  プッシュ式水栓
１３８    ピボット機構
１４０    ダイヤフラム
１４０ａ  小穴
１４２    主弁本体
１４２ａ  パイロット弁口
１４２ｂ  小穴
１４４    パイロット弁
１４６    パイロット弁ばね
１４８    シャフト（弁作動棹）
１５０    圧力室形成部材
１５２    クリーニングピン
１５４    Ｏリング
１５６    ベース部材
１５６ａ  圧力室構成部
１５８    押え板
１６０    ピボット受け部材
１６０ａ  球面
１６０ｂ  切欠部
１６０ｃ  磁石
１６２    ピボット部材
１６２ａ、１６２ｂ、１６２ｃ  円形穴
１６２ｄ、１６２ｅ  シャフト固定部
１６４    ピボット部材押え
１６６    シャフト止め
１６８    操作部押え
１７０ａ  球面
１７０ｂ  突起
１７２ａ  第１の平面
１７２ｂ  第２の平面
１７２ｃ  第３の平面
１７４    傾動ロック部材
１７４ａ  スライド操作部
１７４ｂ  係合部
【要約】
【課題】非常に簡単な操作によって複数の弁を開閉することができる水路切換装置、及びそれを備えたハンドシャワーヘッドを提供する。
【解決手段】本発明は、複数の弁を開閉させることにより、少なくとも三つの吐止水モードを切換可能な水路切換装置(10;122)であって、各吐止水モードに応じて、開弁位置と閉弁位置の間で移動される複数の弁体(26a,26b,26c;142)と、各吐止水モードを切換えるために、使用者によって直接操作されるピボット運動可能な傾動操作部材(6;112)と、この傾動操作部材のピボット点の周囲に配置され、傾動操作部材の各方向への傾動に基づいて、複数の弁体を夫々開閉させる複数の弁作動棹(40a,40b,40c;148)と、を有することを特徴としている。
【選択図】図２【図１】
0005212759.tif 000002
【図２】
0005212759.tif 000003
【図３】
0005212759.tif 000004
【図４】
0005212759.tif 000005
【図５】
0005212759.tif 000006
【図６】
0005212759.tif 000007
【図７】
0005212759.tif 000008
【図８】
0005212759.tif 000009
【図９】
0005212759.tif 000010
【図１０】
0005212759.tif 000011
【図１１】
0005212759.tif 000012
【図１２】
0005212759.tif 000013
【図１３】
0005212759.tif 000014
【図１４】
0005212759.tif 000015
【図１５】
0005212759.tif 000016
【図１６】
0005212759.tif 000017
【図１７】
0005212759.tif 000018
【図１８】
0005212759.tif 000019
【図１９】
0005212759.tif 000020
【図２０】
0005212759.tif 000021
【図２１】
0005212759.tif 000022